(57)【特許請求の範囲】
【請求項１】
縦方向と横方向と、肌当接面及び非肌当接面と、前ウエスト域と、後ウエスト域と、前記前後ウエスト域間に位置するクロッチ域と、ウエスト開口及び一対のレッグ開口と、前記前後ウエスト域を形成する環状の弾性ウエストパネルと、
前記ウエストパネルの前後部に連結され、前記クロッチ域から前記前後ウエスト域へ延び、吸収性コアと、前記吸収性コアの前後端縁から前記縦方向へ延出する前後端フラップとを有する吸収性シャーシとを含む使い捨ておむつにおいて、
前記前後ウエスト域のうちの少なくとも前記前ウエスト域が、少なくとも前記横方向へ延びる伸縮域を有しており、
前記伸縮域が、前記ウエスト開口の縁部から前記吸収性シャーシの前記前端フラップ近傍において前記横方向へ延びる第１伸縮域と、前記第１伸縮域と隣接し、前記横方向へ延びる第２伸縮域と、前記第２伸縮域と隣接し、前記前ウエスト域の側縁から前記吸収性シャーシの両側部まで延び、前記前ウエスト域の横方向中央部に形成された非伸縮域の両側において前記横方向へ離間対向する一対の第３伸縮域とから形成されており、
前記第２伸縮域が前記吸収性シャーシの前記前端フラップを横断しており、
前記第１，第２及び第３伸縮域には、前記横方向へ延びる複数条のストランド状のウエスト弾性要素が配置されており、前記第２伸縮域に配置された前記ウエスト弾性要素は前記吸収性コアを横断しておらず、
前記第１伸縮域と、前記第２伸縮域と、前記第３伸縮域との伸長応力の相関関係が、第２伸縮域≧第１伸縮域＞第３伸縮域であることを特徴とする前記おむつ。
【請求項２】
前記第１伸縮域を形成するウエスト弾性要素と前記第２伸縮域を形成する前記ウエスト弾性要素が同等の伸長倍率を有する弾性要素である請求項１に記載のおむつ。
【請求項３】
前記第１、第２及び第３伸縮域には、前記横方向へ延びる複数条のストランド状のウエスト弾性要素が配置されており、前記ウエスト弾性要素が全て同一の弾性要素からなる請求項１又は２に記載のおむつ。
【請求項４】
後ウエスト域の第３伸縮域の前記縦方向の内方には、第４伸縮域が形成されており、前記第４伸縮域の伸長応力は前記第１〜第３伸縮域の伸長応力よりも低い請求項１〜３のいずれかに記載のおむつ。
【発明の詳細な説明】
【技術分野】
【０００１】
この発明は、使い捨ておむつ、特に、好適なフィット性を有し、外観的にも良好な使い捨ておむつに関する。
【背景技術】
【０００２】
着用者の身体へのフィット性を確保するために、前後ウエスト域において、ウエスト周り方向へ延びる複数条のウエスト弾性要素を有する使い捨ておむつは一般的に知られている。例えば、特許文献１は、図６（ａ）（ｂ）に示すとおり、前後ウエスト域と、クロッチ域と、弾性ウエスト部材１１１の内面に配置された吸収性シャーシ１１２と、ウエスト開口縁部１２３ａにおいて、縦方向へ所与寸法離間して延びる複数条のウエスト弾性要素１３０と、前後ウエスト域の側縁から吸収性シャーシの側縁まで延びるウエスト弾性要素とを有する使い捨ておむつ１１０を開示する。
【特許文献１】特開２００２−２４８１２７号公報
【発明の開示】
【発明が解決しようとする課題】
【０００３】
特許文献１に開示された発明では、吸収性シャーシ１１２をウエスト弾性要素１３０が横断していない。これにより、吸収性シャーシ１１２に含まれる吸収性コア１４８にウエスト弾性要素１３０の収縮力が直接作用せず、吸収性コア１４８に皺が寄らないので、その吸収性能が大きく低下することはない。
【０００４】
しかし、図６（ａ）を参照すると、おむつ１１０の着用時において、吸収性シャーシ１１２の前端フラップ１６２、すなわち、吸収性シャーシ１１２における吸収性コア１４８の存在しない部位と着用者の身体Ａとの間には、スペースＳが形成されている。これは、吸収性コア１４８が、通常、その吸液性及び拡散性の向上のためにフラッフパルプ等を含み、シート部材のみからなる前端フラップ１６２に比べ、所与の厚みを有し、ウエスト弾性要素１３０が配置されて着用者の身体Ａに密着するウエスト開口縁部１２３ａと吸収性コア１４８との間が離間するからである。特に、吸収性コア１４８が多量の尿を吸収した場合には、吸収性コア１４８の厚みが増し、スペースＳはより大きなものとなる。
【０００５】
このような状態において、着用者が前屈みになったときなどには、着用者の身体Ａがウエスト開口縁部１２３ａ及びその近傍を着用者の前方に押し下げるので、前端フラップ１６２とそれに対向する位置にあるウエスト部材の部位とが、スペースＳに向かって折れ曲がり、図６（ｂ）に示すように、着用者の身体Ａと吸収性コア１４８との間にずれ落ちて、段差Ｒが生じる。
【０００６】
段差Ｒは、おむつ１１０の外観を損ねるだけではなく、吸収性コア１４８に吸収しきれなかった尿が段差Ｒに溜まるなどして、排泄物が外部に漏れる原因ともなっていた。
【０００７】
そこで、この発明は、おむつの着用中に、少なくとも吸収性シャーシの前端フラップとそれに対向する位置にある前ウエストパネルの部位とが、着用者の身体と吸収性コアとの間にずれ落ちることがなく、前ウエスト域の一部に段差が生じることがないので、排泄物が外部に漏出することがなく、かつ、見た目にも良好な使い捨ておむつを提供することを課題としている。
【課題を解決するための手段】
【０００８】
前記課題を解決するために、この発明が対象とするのは、縦方向と横方向と、肌当接面及び非肌当接面と、前ウエスト域と、後ウエスト域と、前記前後ウエスト域間に位置するクロッチ域と、ウエスト開口及び一対のレッグ開口と、前記前後ウエスト域を形成する環状の弾性ウエストパネルと、前記ウエストパネルの前後部に連結され、前記クロッチ域から前記前後ウエスト域へ延び、吸収性コアと、前記吸収性コアの前後端縁から前記縦方向へ延出する前後端フラップとを有する吸収性シャーシとを含む使い捨ておむつである。
【０００９】
この発明の特徴とするところは、前記前後ウエスト域のうちの少なくとも前記前ウエスト域が、少なくとも前記横方向へ延びる伸縮域を有しており、前記伸縮域が、前記ウエスト開口の縁部から前記吸収性シャーシの前記前端フラップ近傍において前記横方向へ延びる第１伸縮域と、前記第１伸縮域と隣接し、前記横方向へ延びる第２伸縮域と、前記第２伸縮域と隣接し、前記前ウエスト域の側縁から前記吸収性シャーシの両側部まで延び、前記前ウエスト域の横方向中央部に形成された非伸縮域の両側において前記横方向へ離間対向する一対の第３伸縮域とから形成されており、前記第２伸縮域が前記吸収性シャーシの前記前端フラップを横断しており、前記第１，第２及び第３伸縮域には、前記横方向へ延びる複数条のストランド状のウエスト弾性要素が配置されており、前記第２伸縮域に配置された前記ウエスト弾性要素は前記吸収性コアを横断しておらず、前記第１伸縮域と、前記第２伸縮域と、前記第３伸縮域との伸長応力の相関関係が、第２伸縮域≧第１伸縮域＞第３伸縮域であることである。
【００１０】
この発明は、前記特徴ある構成のほかに、以下の好ましい実施形態を含む。
（１）前記第１伸縮域を形成するウエスト弾性要素と前記第２伸縮域を形成する前記ウエスト弾性要素が同等の伸長倍率を有する弾性要素である。
（２）前記第１、第２及び第３伸縮域には、前記横方向へ延びる複数条のストランド状のウエスト弾性要素が配置されており、前記ウエスト弾性要素が全て同一の弾性要素からなる。
（３）後ウエスト域の第３伸縮域の前記縦方向の内方には、第４伸縮域が形成されており、前記第４伸縮域の伸長応力は前記第１〜第３伸縮域の伸長応力よりも低い。
【発明の効果】
【００１１】
この発明では、前後ウエスト域のうちの少なくとも前ウエスト域において、吸収性シャーシの前端フラップを横方向へ延びるウエスト弾性要素が配置されているので、その伸長応力により前端フラップを着用者の身体に密着させることができる。これにより、前端フラップが着用者の身体と吸収性コアとの間にずれ落ちることがないので、排泄物が漏出することなく、見た目にも良好な使い捨ておむつを得ることができる。
【発明を実施するための最良の形態】
【００１２】
図１は、おむつ１０の着用状態を示す斜視図である。図２は、おむつ１０をシーム部２２において前後に剥離し、縦方向Ｘと横方向Ｙとに伸展したときの展開平面図、図３は、図２のＩＩＩ−ＩＩＩ線断面図である。図４は、図２において吸収性シャーシ１２を除去した状態を示す図である。
【００１３】
図１に示すとおり、おむつ１０は、環状の弾性ウエストパネル１１と、環状の弾性ウエストパネル１１の肌当接面側に取り付けられた吸収性シャーシ１２と、前ウエスト域１３と、後ウエスト域１４と、前後ウエスト域１３，１４間を縦方向Ｘに延びるクロッチ域１５とを含む。
【００１４】
弾性ウエストパネル１１は、前ウエスト域１３を形成する矩形の前ウエストパネル１６と、後ウエスト域１４とクロッチ域１５の一部とを形成するほぼ台形状の後ウエストパネル１７とから構成されている。前ウエストパネル１６と後ウエストパネル１７の両側縁（前後ウエスト域の両側縁）１９，２０は、互いに重ね合わせられて、縦方向Ｘへ間欠的に並ぶシーム部２２において公知の接合手段、たとえば、熱エンボス加工、ソニックなどによる各種の熱溶着手段で接合されることによって連結され、ウエスト開口２３と一対のレッグ開口２４とが画成されている。
【００１５】
図１及び図４に示すとおり、前後ウエスト域１３，１４は、ウエスト開口縁部２３ａに沿って横方向Ｙへ延びる第１伸縮域２５と、第１伸縮域２５に隣接し、吸収性シャーシ１２の前端部を横断する第２伸縮域２６と、前後ウエスト域１３，１４の横方向Ｙ中央部に位置する第１及び第２非伸縮域２８Ａ，２８Ｂの両側において横方向Ｙへ離間対向する一対の第３伸縮域２７とに区分されており、各伸縮域２５，２６，２７には、ストランド状のウエスト弾性要素３０，３１，３２が配置されている。
【００１６】
具体的には、第１伸縮域２５には、ウエスト開口縁部２３ａに沿って延びる複数条の第１ウエスト弾性要素３０が配置されており、第２伸縮域２６には、吸収性シャーシ１２を横方向Ｙへ延びる複数条の第２ウエスト弾性要素３１が配置されており、第３伸縮域２７には、前後ウエスト域１３，１４の両側部１３ａ，１４ａにおいて横方向Ｙへ延びる複数条の第３ウエスト弾性要素３２が配置されている。これらウエスト弾性要素３０，３１，３２の収縮により、おむつ１０の表面には多数のギャザー３３が形成されている（図１参照）。なお、第１及び第２非伸縮域２８Ａ，２８Ｂのうちの少なくとも第１非伸縮域２８Ａのみが形成されていればよい。また、後ウエストパネル１７のクロッチ域１５の一部を構成する部位には、第２非伸縮域２８Ｂの両側において横方向Ｙへ離間する一対の第４伸縮域３４が形成されており、第４伸縮域３４には、横方向Ｙへ延びる複数条の第４ウエスト弾性要素３５が配置されている。
【００１７】
図２及び図３に示すとおり、前後ウエストパネル１６，１７は、肌当接面側に位置する内層シート４０と、非肌当接面側に位置する外層シート４１とから形成されている。外層シート４１は、縦方向Ｘにおいて、内層シート４０の前後端縁４０ａ，４０ｂからそれぞれ延出する延出部４３を有しており、延出部４３は、前ウエストパネル１６と後ウエストパネル１７の内側に吸収性シャーシ１２が配置された後に、おむつの肌当接面側へ折り返され、両側部１３ａ，１４ａに接合されている。このように、外層シート４１の延出部４３が内層シート４０の前後端縁４０ａ，４０ｂを覆っているので、前後端縁４０ａ，４０ｂから外部へ排泄物が漏出することを抑制することができる。
【００１８】
内層シート４０と外層シート４１とには、疎水性繊維不織布、透湿性プラスチックフィルム、それらのラミネートシートが好適に使用される。
【００１９】
内層シート４０と外層シート４１との間には、各ウエスト弾性要素３０，３１，３２，３５が介在されており、両シート４０，４１のうちの少なくとも内層シート４０の内面にホットメルト接着剤（図示せず）を介して伸縮可能に取り付けられている。ただし、第１及び第２非伸縮域２８Ａ，２８Ｂの内層シート４０と外層シート４１との間には、ウエスト弾性要素３０，３１，３２，３５が配置されていない。
【００２０】
図２及び図３に示すとおり、吸収性シャーシ１２は、吸液性構造体４５を含む。吸液性構造体４５は、透液性身体側ライナ（トップシート）４６と、不透液性のバックシート４７と、体液の十分な吸収容量を有する吸収性コア４８と吸収性コア４８を被包する液拡散性シート４９とを有する吸収性パネル５０とを含む。
【００２１】
吸液性構造体４５は、吸収性パネル５０の前後端縁５０ａ，５０ｂから縦方向Ｘ外側に延びるバックシート４７と、バックシート４７よりもさらに縦方向Ｘ外側へ延びる身体側ライナ４６とがホットメルト接着剤（図示せず）を介して接合されることによって形成され、横方向Ｙに延びるエンドフラップと、吸収性パネル５０の一対の側縁５０ｃから横方向Ｙ外側に延びる身体側ライナ４６とバックシート４７とがホットメルト接着剤（図示せず）を介して接合されることによって形成され、縦方向Ｘに延びる一対の内側サイドフラップ５４と、吸液性構造体４５の両側部において縦方向Ｘへ延びる一対のバリヤレッグカフ５５とを含む。
【００２２】
吸収性シャーシ１２は、また、ホットメルト接着剤の塗布領域５６を介して吸液性構造体４５の下面に固定された第１シート部材５８と、第１シート部材５８の吸液性構造体４５の横方向Ｙ外側へ延出する部位（延出部）５８ａが内側へ折り返され、互いに重なり合う各部がホットメルト接着剤６０を介して接合されることで形成された一対のスリーブ状の外側サイドフラップ６１を含む。各外側サイドフラップ６１は、各内側サイドフラップ５４の外側縁を被覆している。各内側サイドフラップ５４の外側縁が各外側サイドフラップ６１に被覆されていることによって、通常、シートの切断縁となっている各内側サイドフラップ５４の外側縁が、着用者の肌に接触して刺激することがなく、痒みやかぶれを未然に防止できる。
【００２３】
吸収性シャーシ１２は、さらに、このように吸液性構造体４５の下面に第１シート部材５８が固定されているので、身体側ライナ４６のバックシート４７から縦方向Ｘ外側へ延出した部分と第１シート部材５８の前後端縁部とによって形成されたシート部材のみからなる前後端フラップ６２，６３を有する。
【００２４】
各外側サイドフラップ６１のスリーブの内部には、縦方向Ｘへ収縮可能に延びるストランド状の弾性要素６７がホットメルト接着剤（図示せず）を介して取り付けられている。これにより、外側サイドフラップ６１は、おむつ１０の着用状態においては、弾性要素６７の収縮によって横方向Ｙ内側へ湾曲して着用者の大腿に弾性的に圧接する。本実施形態では、弾性要素６７は、１本であるが必要に応じて複数条が配置されていてもよい。
【００２５】
各バリヤレッグカフ５５は、第１シート部材の延出部５８ａと、二つに折り畳まれた第２シート部材６４とから形成されており、第２シート部材６４の重ね合わされた端縁部がホットメルト接着剤（図示せず）を介して延出部５８ａに固定された固定部６５と、第２シート部材６４の折曲された部位から形成されたスリーブ状の自由縁部６６とを有する。自由縁部６６は、おむつ１０の展開状態において第１シート部材５８の延出部５８ａに対向しており、その内面には、縦方向Ｘへ延びる３本の弾性要素６８，６９，７０がホットメルト接着剤（図示せず）を介して固着されている。おむつ１０の着用状態では、弾性要素６８，６９，７０が伸長して、自由縁部６６が第１シート部材５８の延出部５８ａから離間し、吸収性シャーシ１２の両側部から排泄物が外部へ漏出することを抑制することができる。
【００２６】
本実施形態では、３本の弾性要素６８，６９，７０が自由縁部６６内に取り付けられているが、各弾性要素６８，６９，７０が、おむつ１０の着用時において、自由縁部６６を第１シート部材５８の延出部５８ａから離間させて着用者の鼠径部に圧接する伸長応力を有するものであれば、少なくとも１本が配置されていればよい。また、これら弾性要素６８，６９，７０に代えて、第２シート部材６４に弾性的に収縮可能な所要幅を有する単一シートを用いることもできる。
【００２７】
吸収性パネル５０では、フラッフパルプと、高吸収性ポリマー（ＳＡＰ）と、必要に応じて熱溶着性ステープル繊維との混合などからなる吸収性コア４８がティッシュペーパ等の液拡散性シート４９で被覆されている。このように、吸収性コア４８全体が液拡散性シート４９で被包されているため、型崩れ及びＳＡＰの脱落を防止することができる。吸収性コア４８は、保形性及び吸液拡散性の改善のため、いわば砂時計の輪郭形状に圧縮されており、おむつ１０を構成するシート部材に比較して剛性が高く、半剛性と称されることがある。
【００２８】
図５は、おむつ１０の着用状態における図２の模式的なＶ−Ｖ線断面図、図６は、従来技術の使い捨ておむつ１１０の図５に対応する模式的断面図である。
【００２９】
図５に示すとおり、前ウエスト域１３の第２伸縮域２６には、吸収性シャーシ１２の前端フラップ６２を横方向Ｙへ横断する第２ウエスト弾性要素３１が配置されている。このように、第２ウエスト弾性要素３１が吸収性シャーシ１２の前端フラップ６２を横断しているので、前ウエストパネル１６の一部に段差が生じることを防止することができる。
【００３０】
すなわち、図６（ａ）に示すとおり、従来技術の使い捨ておむつ１１０では、吸収性シャーシ１１２の前端フラップ１６２と着用者の身体Ａとの間にスペースＳが形成されている。これは、吸収性コア１４８が、通常、その吸液性及び拡散性の向上のためにフラッフパルプ等を含み、シート部材のみからなる前端フラップ１６２に比べ、所与の厚みを有し、ウエスト弾性要素１３０が配置されて着用者の身体Ａに密着するウエスト開口縁部１２３ａと吸収性コア１４８との間が離間するからである。特に、吸収性コア１４８が多量の尿を吸収した場合には、吸収性コア１４８の厚みが増し、隙間Ｓはより大きなものとなる。
【００３１】
このような状態において、着用者が前屈みになったときなどには、着用者の身体Ａがウエスト開口縁部１２３ａ及びその近傍を着用者の前方に押し下げるので、前端フラップ１６２とそれに対向する弾性ウエスト部材１１１の部位とが、スペースＳに向かって折れ曲がり、図６（ｂ）に示すように、前端フラップ１６２とそれに対向する弾性ウエスト部材１１１の部位が、着用者の身体Ａと吸収性コア１４８との間にずれ落ちて、段差Ｒが生じる。
【００３２】
段差Ｒによって、おむつ１１０が所望の位置からずれるだけではなく、段差Ｒに吸収性コア１４８が吸収しきれなかった尿が溜まって外部へ漏れるおそれがあり、また、このような段差Ｒは見た目にも好ましくない。
【００３３】
特に、本実施形態のように、環状の弾性ウエストパネル１１と、吸収性コア４８を含む吸収性シャーシ１２とが別体に形成されている場合には、吸収性シャーシ１２が弾性ウエストパネル１１に吊持された状態となるので、着用者の動きによって、弾性ウエストパネル１１の内側で吸収性シャーシ１２が移動するおそれがあり、弾性ウエストパネル１１の内部に直接吸収性コア４８が介在されているおむつ１０に比べて、このような段差が生じやすくなる。
【００３４】
この発明では、図５に示すように、吸収性シャーシ１２の前端フラップ６２を横断するように、すなわち第２伸縮域２６に第２ウエスト弾性要素３１が配置されているので、前端フラップ６２が着用者の身体Ａに密着し、前端フラップ６２と着用者の身体Ａとの間にスペースＳが形成されておらず、第２伸縮域２６が吸収性コア４８と着用者の身体Ａとの間にずれ落ちることはない。
【００３５】
また、このような実施形態において、第２伸縮域２６の伸長応力が第１伸縮域２５の伸長応力よりも小さい場合には、着用者が前屈した際に、第２伸縮域２６で折れ曲がり、第２伸縮域２６及び前端フラップ６２に折りくせが付いて、前ウエスト域１３の一部に段差が形成されるおそれがある。よって、第２伸縮域２６は、第１伸縮域２５の伸長の影響により、着用者の身体への密着性が阻害されないように、その伸長応力が、第１伸縮域２５のそれと同等であるか若しくはそれ以上であることが好ましい。一方、第１伸縮域２５は、おむつ１０の前後ウエスト域１３，１４を着用者の胴周りの所要の位置に固定するために所望の伸長応力を要するので、その伸長応力は、第３伸縮域２７のそれよりも大きいことが好ましい。よって、これら伸縮域２５，２６，２７における伸長応力の相関関係は、第２伸縮域２６≧第１伸縮域２５＞第３伸縮域２７であることが好ましい。
【００３６】
具体的には、第１伸縮域２５の最大伸長時の６５％における伸長応力が３８〜４２ｍＮ／ｍｍ、第２伸縮域２６の最大伸長時の６５％における伸長応力が４２〜４８ｍＮ／ｍｍ、第３伸縮域２７の最大伸長時の６５％における伸長応力が２８〜３２ｍＮ／ｍｍであることが好ましい。第２伸縮域２６の最大伸長時の６５％における伸長応力が４２ｍＮ／ｍｍ以下の場合には、前端フラップ６２を着用者の身体Ａに密着させることができず、前記効果を発揮することができないからである。
【００３７】
なお、各伸縮域２５，２６，２７の伸長応力は下記の方法で測定する。
【００３８】
まず、おむつ１０のシーム部２２を剥がして図２に示すような展開状態とし、各ウエスト弾性要素３０，３１，３２を伸長させ、そのときの各伸縮域２５，２６，２７の横方向Ｙの長さを最大伸長時の長さとする。次に、おむつ１０から前ウエストパネル１６全体を切り出して、切り出した前ウエストパネル１６から各伸縮域２５，２６，２７を切り取ってサンプルとし、各サンプルの領域幅（おむつ１０の縦方向Ｙの寸法）を測定する。各伸縮域２５，２６，２７を切断する際には、隣接する各ウエスト弾性要素３０，３１，３２どうしの間に位置する領域の縦方向Ｘ中央部にて切断する。サンプルを引っ張り試験機（島津製作所製）のチャック間（初期のチャック間距離は１００ｍｍとし、サンプルに合わせ適宜調整する）に収縮した状態で固定して、引張速度１００ｍｍ／ｍｉｎの条件で、サンプルをおむつ１０の横方向Ｙと同じ方向に伸長させ、最大伸長時の６５％の長さにおける荷重（ｍＮ）を測定し、測定値（ｍＮ）÷領域幅（ｍｍ）の式により、各伸縮域２５，２６，２７の伸長応力を算出した。
【００３９】
また、第２伸縮域２６の伸長倍率は、第１伸縮域２５の伸長倍率と同等か若しくはそれ以上であることが好ましい。第２伸縮域２６の伸長倍率が第１伸縮域２５の伸長倍率よりも小さい場合には、着用者が前屈して第１伸縮域２５がさらに伸長されたとき等に、その伸長の影響を受け、いきおい第２伸縮域２６が着用者の身体Ａと離間して、スペースＳが形成されるおそれがあるからである。
【００４０】
第１〜第３ウエスト弾性要素３０，３１，３２は、天然又は合成のゴムから作られており、ゴム弾性を有するストランド状、テープ状のものを使用することができる。
【００４１】
具体的には、ウエスト弾性要素３０，３１，３２がストランド状のゴム弾性要素からなる場合には、第１及び第２ウエスト弾性要素３０，３１には、断面積が５５０〜６５０ｄｔｅｘで伸長倍率が２５０〜３００％、第３ウエスト弾性要素３２には、断面積が４５０〜５００ｄｔｅｘで伸長倍率が３００〜３５０％のものをそれぞれ用いることができる。
【００４２】
ただし、各伸縮域２５，２６，２７が所望の伸長応力を有する限りにおいては、第１ウエスト弾性要素３０と第２ウエスト弾性要素３１が異なる断面積及び伸長倍率を有する弾性要素から構成されていてもよいし、ウエスト弾性要素３０，３１，３２が全て同一の部材から構成されていてもよい。また、図示例では、前ウエスト域１３において、第１ウエスト弾性要素３０が４本、第２ウエスト弾性要素３１が５本、第３ウエスト弾性要素３２が７本であるが、各伸縮域２５，２６，２７の要する伸長応力に応じて、その本数、並列する各ウエスト弾性要素３０，３１，３２間の離間距離（ピッチ）は、適宜変更することができる。例えば、第２伸縮域２６が第１伸縮域２５よりも大きい伸長応力を要する場合に、第１及び第２ウエスト弾性要素３０，３１を同一部材から構成したときには、図示されているように、第１ウエスト弾性要素３０間のピッチよりも、第２ウエスト弾性要素３１間のピッチの方が、当然に、より小さく設定されることになる。
【００４３】
各伸縮域２５，２６，２７に所望の伸長応力を付与するために、本実施形態のように、各ウエスト弾性要素３０，３１，３２を配置するのではなく、弾性伸縮性のシートを環状の弾性ウエストパネル１１の内面に固着してもよいし、環状の弾性ウエストパネル１１を構成するシート部材自体が弾性伸縮性を有するものであってもよい。
【００４４】
再び、図４を参照すると、後ウエストパネル１７の第３伸縮域２７の内方には、第４伸縮域３４が形成されている。第４伸縮域３４には、第３伸縮域２７に配置された第３ウエスト弾性要素３２と同じ弾性要素からなる第４ウエスト弾性要素３５が配置されている。図示されているように、第４ウエスト弾性要素３５は、他のウエスト弾性要素３０，３１，３２よりも本数が少なく、かつ、横方向Ｙにおける第４伸縮域３４の伸長応力は横方向Ｙにおける他の伸縮域２５，２６，２７のそれよりも低く設定されている。
【００４５】
このような第４伸縮域３４は、着用者の臀部の所要範囲を被覆し、臀部の曲面に沿ってやわらかな接触面を形成することができる。
【００４６】
前後ウエストパネル１６，１７、吸収性シャーシ１２を形成する各構成部材には、この種の使い捨ておむつにおいて慣用されている各種材料を制限なく用いることができる。また、本実施形態では、弾性ウエストパネル１１は、前後ウエストパネル１６，１７のみから構成されているが、前後ウエストパネル１６，１７と、前後ウエストパネル１６，１７の間に位置し、クロッチ域１５を形成するクロッチ部材を有するものであってもよいし、前後ウエストパネル１６，１７とクロッチ部材とが連続シートで形成されたものであってもよい。さらに、前後ウエスト域の両側縁１９，２０が予め連結されたパンツ型の使い捨ておむつの他に、前後ウエスト域の両側縁１９，２０が予め連結されていないオープン型の使い捨ておむつにも適用できる。
【図面の簡単な説明】
【００４７】
【図１】この発明に係わる使い捨ておむつの斜視図。
【図２】おむつの一部破断展開平面図。
【図３】図２のＩＩＩ−ＩＩＩ線断面図。
【図４】図２の吸収性シャーシを除去した状態の図。
【図５】使い捨ておむつの着用状態を示す模式的な図２のＶ−Ｖ線断面図。
【図６】（ａ）（ｂ）従来の使い捨ておむつの着用状態を示す図５に対応する模式的な断面図。
【符号の説明】
【００４８】
１０    使い捨ておむつ
１１    弾性ウエストパネル
１２    吸収性シャーシ
１３    前ウエスト域
１４    後ウエスト域
１５    クロッチ域
１９    前ウエスト域の側縁
２０    後ウエスト域の側縁
２３    ウエスト開口
２３ａ  ウエスト開口縁部
２４    レッグ開口
２５    第１伸縮域
２６    第２伸縮域
２７    第３伸縮域
２８Ａ  非伸縮域（第１非伸縮域）
３０    第１ウエスト弾性要素
３１    第２ウエスト弾性要素
３２    第３ウエスト弾性要素
６２    前端フラップ
６３    後端フラップ
Ｘ      縦方向
Ｙ      横方向
【図１】
0005306689.tif 000002
【図２】
0005306689.tif 000003
【図３】
0005306689.tif 000004
【図４】
0005306689.tif 000005
【図５】
0005306689.tif 000006
【図６】
0005306689.tif 000007